(57)【要約】【課題】樹脂、金属、陶器等硬質部材の表面（以下、硬質表面）に付着したシリコーンオイルに対して、常温でも優れた洗浄力を示し、かつ速乾性の洗浄剤組成物を提供する。【解決手段】成分として、カルボン酸及び／又はスルホン酸、アルキルアミン、フッ化物、ハロゲン系溶剤を含有することを特徴とするシリコーンオイル用洗浄剤組成物。【選択図】なし【特許請求の範囲】
【請求項１】
アルキルアミン、カルボン酸及び／又はスルホン酸、フッ化物、ハロゲン系溶剤を含むシリコーンオイル用洗浄剤組成物。
【請求項２】
アルキルアミンが炭素数１〜１０の化合物である請求項１記載の組成物。
【請求項３】
カルボン酸及び／又はスルホン酸が炭素数１〜１８の化合物である請求項１記載の組成物。
【請求項４】
フッ化物がフッ化水素又はその塩から選ばれる１種以上である請求項１記載の組成物。
【請求項５】
ハロゲン系溶剤がフッ素系溶剤・塩素系溶剤・臭素系溶剤のいずれかの溶剤である請求項１記載の組成物。
【請求項６】
アルキルアミン１〜３０重量％、カルボン酸及び／又はスルホン酸１〜３０重量％、フッ化物０．１〜５重量％、ハロゲン系溶剤５０〜９７．９重量％含有するシリコーンオイル用洗浄剤組成物。
【発明の詳細な説明】
【技術分野】
【０００１】  本発明は、硬質表面に付着したシリコーンオイルに対して優れた洗浄力を示し、速乾性の洗浄剤組成物に関する。
【背景技術】
【０００２】  従来の硬質表面に付着したシリコーンオイルの洗浄は溶剤や界面活性剤水溶液（例えば、特許文献１、特許文献３）、強塩基性水溶液（例えば、特許文献２）などが用いられてきた。【０００３】  しかし、これら洗浄処理に使用される洗浄剤は低い乾燥性や高い引火性を有していたり、廃水処理設備などの設備要求があり、容易に扱えないことが多い。また、これらの洗浄剤は、手拭きや加温など洗浄補助を必要としていることが多い（例えば、特許文献３）。
溶剤系の洗浄剤は既に特許文献４のようなものが報告されているが、シリコーンオイルを対象とした洗浄剤ではなく、シリコーンオイルの洗浄に対しては洗浄寿命が短いことが問題であった。
【先行技術文献】
【特許文献】
【０００４】
【特許文献１】特開平０２−２１５８９７号公報
【特許文献２】特開平０６−３４６０１０号公報
【特許文献３】特開２０１１−５７７７号公報
【特許文献４】特開２０１１−８４６６０号公報
【発明の開示】
【発明が解決しようとする課題】
【０００５】  従って、本発明が解決しようとしている課題は、硬質表面に付着したシリコーンオイルに対して常温でも優れた洗浄力を示し、速乾性の洗浄剤組成物を提供することにある。
【課題を解決するための手段】
【０００６】  本発明者等はシリコーンを分解するフッ化物と速乾性のハロゲン系溶剤を組み合わせることで、洗浄性と速乾性に優れた洗浄剤組成物を得た。また、ハロゲン系溶剤は自己消火性を有しているため、得られる洗浄剤組成物は低引火性または非引火性のものである。
即ち、本発明は、フッ化物、アルキルアミン、カルボン酸及び／又はスルホン酸、ハロゲン系溶剤を含有する洗浄剤組成物を提供する。
【発明の概要】
【０００７】  本発明の効果は、硬質表面に付着したシリコーンオイルに対して常温で優れた洗浄力を示し、速乾性の洗浄剤組成物を提供する。
【発明を実施するための形態】
【０００８】  アルキルアミンとしては、例えば、メチルアミン、エチルアミン、プロピルアミンなどが挙げられ、炭素数１〜１０のアルキルアミンが好ましい。アルキル鎖は直鎖でなくても構わない。
【０００９】  カルボン酸及び／又はスルホン酸としては、例えば、ギ酸、酢酸、酪酸、メタンスルホン酸、ベンゼンスルホン酸が挙げられ、炭素数１〜１８のカルボン酸及び／又はスルホン酸が好ましい。
【００１０】  フッ化物はフッ化水素又はその塩であればよく、例えばフッ化水素、酸性フッ化アンモニウム、中性フッ化アンモニウム、フッ化カリウム、フッ化ナトリウムなどが挙げられる。洗浄力の面から酸性のものが好ましい。
【００１１】  ハロゲン系溶剤としては、例えば、フッ素系溶剤・塩素系溶剤・臭素系溶剤のいずれかに属し、塩化メチレン、トリクロロエチレン、パークロロエチレン、１−ブロモプロパン、ハイドロクロロフルオロカーボン（ＨＣＦＣ）、ハイドロフルオロエーテル（ＨＦＥ）、ハイドロフルオロオレフィン（ＨＦＯ）、ハイドロクロロフルオロオレフィン（ＨＣＦＯ）などが挙げられ、ＫＢ値が２０以上のものが好ましい。
【００１２】  さらに、本発明の効果を損なわない範囲内であれば、その他添加剤を任意の割合で添加できる。当該その他の添加剤としては、例えば、本発明の効果を失わない限り、香料、消泡剤、着色剤、ｐＨ調整剤、増粘剤、アルカリ、アンモニウム、アルキルアミンを除くアミン、アミン又はアミノ酸の塩、ハロゲン系溶剤を除く有機溶剤、アルコール、金属石けん、防腐剤、酸化防止剤、防錆剤、カチオン界面活性剤、ノニオン界面活性剤、両性界面活性剤等が挙げられる。
【００１３】  本発明の洗浄対象のシリコーンオイルは、シロキサン結合を中心骨格に持ち、ケイ素に水素原子や炭化水素が結合した化合物の総称であり、例えば、ジメチルシリコーン、ジフェニルシリコーン、メチルビニルシリコーン、メチルフェニルシリコーン、アミノ変性シリコーンなどが挙げられる。
【実施例】
【００１４】  以下本発明を実施例により、具体的に説明するが、本発明はこれら実施例に限定されるものではない。【００１５】［洗浄性確認試験方法］
５×１０ｃｍのステンレス板の片面に市販のシリコーンオイルを１ｇ塗布し、５分間１６０℃に加熱して焼き付け、これを試験片とした。各成分が下表の通りである洗浄剤組成物を５００ｍＬ調製した。調製した洗浄液の外観を評価した。試験片を２０℃で５分間洗浄液に浸漬した。洗浄液から取り出した試験片をフッ素系溶剤であるＨＦＥ系の溶剤５００ｍＬに５分間浸漬した。再度ＨＦＥ系溶剤で浸漬洗浄後、シリコーンオイルの残留性を評価した。【００１６】［洗浄液の外観評価］
目視  ○：透明  △：濁り有り  ×：沈殿有り
［シリコーンオイルの残留性評価］
目視  ○：付着物無し  △：一部付着物有り  ×：全体的に付着物有り
触手  ○：ぬめりなし  △：若干ぬめりあり  ×：全体的にぬめりあり【００１７】  実施例１〜５及び比較例１〜４の試験結果を下表１に示した。
各表の成分量は特に断りのない限り重量％を意味する。【００１８】
【表１】
2019167514.tif 000002
【００１９】  前記実施例１〜５及び比較例１〜４の結果から、ハロゲン系溶剤にアルキルアミン、カルボン酸、フッ化物の３成分が配合されているときのみ洗浄性が良好であった。
また、３成分が配合されている条件でもフッ化物の量が過剰であると、洗浄性は良好であるが濁りが発生する。【００２０】［洗浄寿命試験方法］
実施例２の洗浄剤組成物、または、下表比較例５の洗浄剤組成物をビーカーに５００ｍＬ調製した。洗浄液にシリコーンオイルを０．５ｇ添加毎に洗浄性確認試験を行い、洗浄性が悪くなるまでシリコーンオイルの添加を行った。洗浄性確認試験は上記の実施例１〜５及び比較例１〜３で行ったものであり、評価方法も同じである。【００２１】
【表２】
2019167514.tif 000003
【００２２】  実施例２及び比較例５の試験結果を下表に示した。【００２３】
【表３】
2019167514.tif 000004
【００２４】  前記実施例２及び比較例５の結果から、界面活性剤配合ハロゲン系溶剤と比較してシリコーン汚れに対する洗浄寿命が優れていることがわかる。